(57)【特許請求の範囲】
【請求項１】
什器本体の後面上部に、該什器本体の左右幅と等長もしくはやや短寸をなし、かつ前面に左右方向を向く係止溝を備えるビーム材を、什器本体の後面より離間させて取付け、かつ前記什器本体とビーム材との間の隙間に、配線受具を、その後端部を前記係止溝に係止することにより、着脱可能として装着した収納什器への配線受具の取付構造において、
配線受具が、ワイヤを折曲することにより、前後寸法が什器本体とビーム材間の隙間とほぼ等しい平面視後向きコ字形をなす複数の配線受部と、これら隣接する配線受部における後端同士を接続し、ビーム材の前面に当接する接続部と、配線受具の左右の後端より起立し、上端部にビーム材の係止溝に係止可能な係合部とを備えるものとしたことを特徴とする収納什器への配線受具の取付構造。
【請求項２】
什器本体の後面上部に、該什器本体の左右幅と等長もしくはやや短寸をなし、かつ前面に左右方向を向く係止溝を備えるビーム材を、什器本体の後面より離間させて取付け、かつ前記什器本体とビーム材との間の隙間に、配線受具を、その後端部を前記係止溝に係止することにより、着脱可能として装着した収納什器への配線受具の取付構造において、
配線受具が、合成樹脂材により、前後寸法が什器本体とビーム材間の隙間とほぼ等しい側面視上向きコ字状に形成され、かつ底板の中間部に左右方向を向く薄肉部を形成することにより、該薄肉部を中心として、前部が上下に撓曲しうるようにし、かつ底板の前部を、上向きに撓曲させて隙間内に挿入することにより、配線受具における後側の上向片の後面に形成した係合片を、ビーム材の係合溝に係合しうるようにしてなるものであることを特徴とする収納什器への配線受具の取付構造。
【請求項３】
底板の前端部適所及びそれに連続する前側の上向片に、切欠溝を設けてなる請求項２記載の収納什器への配線受具の取付構造。
【発明の詳細な説明】
【０００１】
【発明の属する技術分野】
本発明は、キャビネット等の什器本体の後面に、配線受具を装着する際の取付構造に関する。
【０００２】
【従来の技術】
例えば、机やテーブルの側方に、キャビネットを、それらの天板面が同一面をなすように並べて配置し、キャビネットの天板にもＯＡ機器等を載置して作業を行う際には、キャビネットの後部に、ＯＡ機器等のケーブル類を最短距離で配線するための配線スペースが必要となることがある。
【０００３】
しかし、箱状をなしているキャビネットでは、その後部に配線スペースを設けることは難しく、例えば後面板に直接配線ダクト等を取付けようとすると、見栄えが悪くなり、体裁上好ましくない。
【０００４】
そこで、従来は、天板の後端部を切除するなどして、左右方向を向く凹部を形成し、この凹部を配線スペースとして使用することが考えられている。
【０００５】
【発明が解決しようとする課題】
上述のように、キャビネットの天板の後端部を切除して、配線スペースを形成したのでは、天板の面積が小さくなるとともに、凹部の深さも天板の厚さ以上とすることができないため、ケーブル類の配線量が限られる。
【０００６】
このような問題点を解決するために、本願の出願人は、キャビネットの後面上部に、ビーム材を、それらの間に隙間が形成されるようにして取付け、かつビーム材の前面に形成した左右方向を向く係止溝に、配線受具の後端の下向きの係合片を係止することにより、キャビネットの後面とビーム材との間に、配線受具を簡単かつ体裁よく取付けうる取付構造を案出した。
【０００７】
しかし、この構造においても、配線受具の前後寸法を、キャビネットの後面とビーム材との間の隙間への挿入を容易とするために、その隙間よりも若干短寸とすると、配線受具の係合片を係止溝に挿入して係止した際に、キャビネットの後面と配線受具の前面との間に隙間が形成され、その隙間よりケーブル類が脱落するという問題が発生する恐れがあった。
【０００８】
本発明は、上記問題点に鑑みてなされたもので、キャビネット等の什器本体の後面に、配線受具を簡単かつ体裁よく装着することにより、天板の面積を小さくしたりすることなく、十分な配線スペースを確保しうるようにするとともに、什器本体の後端と配線受具との間に形成される隙間を可能な限り小さくすることにより、ケーブル類の脱落を防止しうるようにした、収納什器への配線受具の取付構造を提供することを目的としている。
【０００９】
【課題を解決するための手段】
本発明によると上記課題は、次のようにして解決される。
(１)什器本体の後面上部に、該什器本体の左右幅と等長もしくはやや短寸をなし、かつ前面に左右方向を向く係止溝を備えるビーム材を、什器本体の後面より離間させて取付け、かつ前記什器本体とビーム材との間の隙間に、配線受具を、その後端部を前記係止溝に係止することにより、着脱可能として装着した収納什器への配線受具の取付構造において、
配線受具が、ワイヤを折曲することにより、前後寸法が什器本体とビーム材間の隙間とほぼ等しい平面視後向きコ字形をなす複数の配線受部と、これら隣接する配線受部における後端同士を接続し、ビーム材の前面に当接する接続部と、配線受具の左右の後端より起立し、上端部にビーム材の係止溝に係止可能な係合部とを備えるものとしたことを特徴とする収納什器への配線受具の取付構造とする。
【００１０】
(２)什器本体の後面上部に、該什器本体の左右幅と等長もしくはやや短寸をなし、かつ前面に左右方向を向く係止溝を備えるビーム材を、什器本体の後面より離間させて取付け、かつ前記什器本体とビーム材との間の隙間に、配線受具を、その後端部を前記係止溝に係止することにより、着脱可能として装着した収納什器への配線受具の取付構造において、
配線受具が、合成樹脂材により、前後寸法が什器本体とビーム材間の隙間とほぼ等しい側面視上向きコ字状に形成され、かつ底板の中間部に左右方向を向く薄肉部を形成することにより、該薄肉部を中心として、前部が上下に撓曲しうるようにし、かつ底板の前部を、上向きに撓曲させて隙間内に挿入することにより、配線受具における後側の上向片の後面に形成した係合片を、ビーム材の係合溝に係合しうるようにしてなるものであることを特徴とする収納什器への配線受具の取付構造とする。
【００１１】
(３)上記（２）項において、底板の前端部適所及びそれに連続する前側の上向片に、切欠溝を設ける。
【００１２】
【発明の実施の形態】
以下、本発明の実施形態を、図面に基づいて説明する。
図１は、本発明を説明するための参考斜視図である。上面に天板(１)が取付けられた矩形箱状の筐体(２)内には、上下２段の引出し(３)が収容されている。
【００１３】
筐体(２)の後面板(2a)の上端部には、オプション部材取付け用のビーム材(４)が、図２に示すようにして取付けられている。
【００１４】
ビーム材(４)は、例えばアルミニウム合金材の押出し成形品よりなり、左右両端が開口された所要厚さの中空板状に形成されている。
【００１５】
ビーム材(４)の左右長は、筐体(２)の横幅よりもやや短寸とされ、その前面には、図３の拡大断面図に示すように、側面視ほぼＪ字形をなす上下２条の係止溝(５)(５)が、同じく後面には、側面視ほぼＣ字形をなす上下２条の係止溝(６)(６)が、それぞれ長手方向全長に亘って、互いに平行に形成されている。
【００１６】
(７)は、中空孔の中間部の対向面同士を結合しているリブである。
ビーム材(４)の左右両端面の上下部には、めねじ孔(８)(８)が穿設されている。
(９)(９)は、ビーム材(４)取付け用の左右１対のブラケットで、図４に示すように、２部材を結合したものよりなっている。
【００１７】
すなわち、垂直板状をなす基片(10a)の後端部に、上方及び下方に延出する突片(10b)(10b)を備え、かつ前端縁に外向きの取付片(10c)を折曲形成してなる側面視横向きＴ字形のブラケット本体(10)と、上記基片(10a)の前後寸法よりも短寸とした方形をなす基片(11a)の上下の端縁に、基片(10a)を上下より挟持可能な、後端部が基片(11a)よりも後方に延出する上下１対の外向挟持片(11b)(11b)を備えるとともに、基片(11a)の前端縁に内向片(11c)を折曲形成してなる補強部材(11)とからなっている。
【００１８】
ブラケット本体(10)と補強部材(11)とは、図２に示すように、ブラケット本体(10)の基片(10a)の内側面に、補強部材(11)の基片(11a)を、両挟持片(11b)の後部側の内端縁を上下の突片(10b)の外側面に当接させるとともに、取付片(10c)と内向片(11c)との前面同士が同一面をなすようにして重合させたのち、複数個所をスポット溶接することにより、互いに一体的に結合されている。
【００１９】
ビーム材(４)を取付けるには、まずキャビネットの後面板(2a)における上端部の左右両側部に、ブラケット本体(10)の取付片(10c)を、その上下２個の通孔(12)より挿入したねじ(13)(13)をもって固定することにより、ブラケット(９)を左右対称的に取付ける。
この際、ブラケット(９)の上端が、天板(１)の上面よりも所要寸法下位となる取付態様とするのがよい。
【００２０】
ついで、左右のブラケット(９)の対向面間にビーム材(４)を挿入し、その左右の両端面をブラケット本体(10)の上下の突片(10b)に当接させた状態で、両突片(10b)の通孔(12)より挿入したねじ(13)を、ビーム材(４)の端面のめねじ孔(８)に向かって螺合する。
【００２１】
これにより、ビーム材(４)は、左右ブラケット(９)により、上端がキャビネットの天板(１)とほぼ同一面をなすようにして、かつ後面板(2a)に対し所要寸法離間した状態で支持される。
【００２２】
ついで、左右のブラケット(９)に、外側方より合成樹脂製のカバー(14)を止着して、内側面を除いたほぼ全体を覆う。
【００２３】
なお、カバー(14)の外側面には、キャビネット同士を並べて配置した際において、隣接する他方のカバー(14)の外側面との間に上下方向を向く挿通孔が形成されるように、内方に向かって円弧状に凹入する凹部(15)が形成されている。
【００２４】
図１及び図３（ブラケットは図示略）に示すように、左右のブラケット(９)間における後面板(2a)とビーム材(４)との間の隙間(16)には、板金製の配線受具(17)が、次のようにして取付けられている。
【００２５】
配線受具(17)は、水平をなす基板(17a)の前後の端部に、それぞれ斜め前上方及び斜め後下方を向く互いに平行をなす短寸の係合片(17b)(17b)を備える平板状をなし、かつ平面視において配線受具(17)全体の前後寸法は、上記隙間(16)の前後の幅よりも若干大としてある。
【００２６】
上記基板(17a)の中間部には、配線用の挿通孔(18)が穿設されている。
【００２７】
配線受具(17)を隙間(16)内に装着するには、図３の２点鎖線で示すように、まず配線受具(17)を、全体が隙間(16)内に上方より挿入可能な位置、すなわち両係合片(17b)が垂直をなす位置まで後傾させ、ビーム材(４)における前面上部の係止溝(５)と対向する付近まで、隙間(16)内に落とし込む。
【００２８】
ついで、後側の係合片(17b)を係止溝(５)に挿入し、その上向きの係止片(5a)により係止する。
この状態で、配線受具(17)より手を離せば、後側の係合片(17b)が、その板厚より大とした係止片(5a)の内部の隙間内で傾動することにより、実線示のように、下向きに回動し、前側の係合片(17b)の上端がキャビネットの後面板(2a)と当接又は近接した状態に取付けられ、隙間(16)は閉塞される。
【００２９】
これにより、天板(１)上に載置したＯＡ機器等のケーブル類を、配線受具(17)を用いて横方向に配線したり、挿通孔(18)を通して下方に配線したりすることができる。
この際、キャビネットの後面板(2a)と配線受具(17)との間には、殆ど隙間が形成されないので、ケーブル類が脱落したり、下方に垂れ下がったりするのを防止することができる。
【００３０】
図５及び図６は、本発明の実施形態における配線受具とその取付例を示す。
【００３１】
配線受具(19)は、合成樹脂により、側面視概ね上向きコ字形のダクト状に形成され、その長寸とした後側の上向片(19a)の後面上部には、ビーム材(４)の係止溝(５)に係止可能な、側面視下向き鉤状の係合片(20)が全長に亘って連設されている。係合片(20)の後端から、前側の上向片(19b)の前端までの幅寸法は、隙間(16)の前後の幅よりも若干大としてある。
【００３２】
配線受具(19)の底板(19c)の前端部には、薄肉部(21)が長手方向全長に亘って形成され、その部分を中心として、上下方向に屈曲しうるようになっている。
【００３３】
また、底板(19c)における薄肉部(21)よりも前方の適所と、それに連続する前側の上向片(19b)には、配線挿通用の切欠溝(19d)が形成されている。
【００３４】
このような形状の配線受具(19)を隙間(16)内に装着するには、図６の２点鎖線で示すように、配線受具(19)の前端部を、薄肉部(21)を中心として上向きに屈曲させ、前後寸法を小さくした状態で隙間(16)内に挿入し、係合片(20)を係止溝(５)の係止片(5a)に上方より係合させる。
【００３５】
ついで、実線示のように、屈曲させた前端部を元の状態に下向に回動させれば、配線受具(19)は、隙間(16)内に、それを閉塞するようにして簡単に装着される。
この第２の実施形態においても、上述と同様の作用効果を奏しうる。
【００３６】
なお、ケーブル類を下方に配線する際は、上記切欠溝(19d)を使用する以外に、配線受具(19)の前端部を上向きに回動させ、後面板(2a)との間に隙間を形成するか、あるいは、底板(19c)の適所に、上記実施形態のような挿通孔（図示略）を穿設すればよい。
【００３７】
図７及び図８は、本発明の他の実施形態における配線受具(22)とその取付例を示す。
【００３８】
この実施形態の配線受具(22)は、ワイヤを折り曲げたものよりなり、若干上向きに傾斜する平面視後向きコ字形をなす左右１対の配線受部(22a)(22a)と、それらの内方の後端同士をつないでいる、若干上方に立ち上がる水平の接続部(22b)と、両配線受部(22a)の外方の後端に上向きに連設され、上端部にビーム材(４)の係止溝(５)に係合可能な側面視下向コ字状の係合部(22c)を有する吊支部(22d)(22d)とからなり、両係合部(22c)の遊端部には、内向きの補助係合部(22e)が折曲形成されている。
【００３９】
上記両配線受部(22a)の前端から、係合部(22c)の後端までの前後寸法は、隙間(16)の前後の幅よりも若干大としてある。また、補助係合部(22e)は、係止溝(５)内に挿入した際のがたを防止するために、若干前方に折曲されている。
【００４０】
このようなワイヤ状の配線受具(22)を隙間(16)内に装着するには、図８の２点鎖線で示すように、両配線受部(22a)を下方に向けて隙間(16)内に挿入したのち、実線示のように、配線受具(22)全体を時計方向に回動させつつ、左右の係合部(22c)と補助係合部(22e)とを、ビーム材(４)の係止溝(５)における係止片(5a)に上方より係合させる。
【００４１】
この実施形態においても、ケーブル類を左右の配線受部(22a)に載置することにより、横方向に配線することができ、かつ後面板(2a)と配線受部(22a)間には殆ど隙間が形成されないので、ケーブル類が脱落することはない。
【００４２】
また、配線受具(22)は、ワイヤを折曲して形成され、隙間(16)を閉塞することがないので、キャビネットを背中合わせに配置したり、壁面に当接させて設置したりしても、下方への配線も容易に行うことができる。
【００４３】
なお、配線受具(22)を弾性変形可能なピアノ線等により形成すれば、吊支部(22d)を前向きに弾性変形させて隙間(16)内に挿入しうるので、図８に示すように、配線受部(22a)を下方に向けて挿入する必要はなくなる。
【００４４】
【発明の効果】
請求項１記載の発明によれば、配線受具を、什器本体の後面と、それに設けたビーム材との間に簡単かつ体裁よく装着し、これに、ＯＡ機器等のケーブル類を載置して横方向に配線することができる。従って、天板の後端を切除するなどして配線スペースを確保する必要はないので、天板の面積が小さくなることはない。
また、配線受具は、ビーム材の前面に装着されているので、什器を背中合わせにして配置したり、壁面に当接させて配置するなどしても、ＯＡ機器等のケーブル類を支障なく配線することができる。
また、配線受部の前端と什器本体の後面との間に大きな隙間が形成されないので、配線受部に載置したケーブル類が脱落する恐れはない。
さらに、配線受具は、ワイヤを折曲して形成されているので、下方への配線も容易である。
【００４５】
請求項２記載の発明によれば、配線受具が、什器本体とビーム材間の隙間をほぼ閉塞しうるように装着されるので、配線受具に載置したケーブル類が脱落したりするのが防止される効果を奏するとともに、底板の前部を上向きに撓曲させて什器本体の後面との間に所要の隙間を設けることにより、ケーブル類を下方にも配線することができる。
【００４６】
請求項３記載の発明によれば、ケーブル類を、切欠溝を通して下方にも配線することができる。
【図面の簡単な説明】
【図１】  本発明を説明するための参考斜視図である。
【図２】  同じく、ビーム材の取付態様を示す分解斜視図である。
【図３】  図１のIII−III線の要部の拡大縦断側面図である。
【図４】  ブラケットの分解斜視図である。
【図５】  本発明の実施形態に用いられる配線受具の斜視図である。
【図６】  同じく、図５に示す配線受具を用いた実施形態における図３と同部位の要部の縦断側面図である。
【図７】  本発明の他の実施形態に用いられる配線受具の斜視図である。
【図８】  同じく、図７に示す配線受具を用いた実施形態における図３と同部位の要部の縦断側面図である。
【符号の説明】
(１)天板
(２)筐体（什器本体）
(2a)後面板
(３)引出し
(４)ビーム材
(５)(６)係止溝
(5a)係止片
(７)リブ
(８)めねじ孔
(９)ブラケット
(10)ブラケット本体
(10a)基片
(10b)突片
(10c)取付片
(11)補強部材
(11a)基片
(11b)挟持片
(11c)内向片
(12)通孔
(13)ねじ
(14)カバー
(15)凹部
(16)隙間
(17)配線受具
(17a)基板
(17b)係合片
(18)挿通孔
(19)配線受具
(19a)(19b)上向片
(19c)底板
(19d)切欠溝
(20)係合片
(21)薄肉部
(22)配線受具
(22a)配線受部
(22b)接続部
(22c)係合部
(22d)吊支部
【図１】
0003736624.tif 000002
【図２】
0003736624.tif 000003
【図３】
0003736624.tif 000004
【図４】
0003736624.tif 000005
【図５】
0003736624.tif 000006
【図６】
0003736624.tif 000007
【図７】
0003736624.tif 000008
【図８】
0003736624.tif 000009